(57)【要約】【課題】消費者等に自宅の近辺等に欲しい店舗の種別を登録させ、投資家等にそれを閲覧させることにより、コンビニ、スーパーマーケット、床屋、洋服屋、100円ショップ、自転車屋、金融機関、病院（総合病院、内科医院、外科医院、歯医者など）、保育園、靴屋、本屋、電気屋、金物屋、銭湯、飲食店（レストラン、喫茶店、居酒屋など）、化粧品店、ペットショップ、法律事務所、整骨院、文房具屋、学習塾、弁当屋、クリーニング屋、薬局、花屋等の店舗の需要と供給とを結び付けるマッチングシステムを提供する。【解決手段】マッチングシステムは、主として消費を目的とする利用者に、或る地域に或る種別の店舗が不足しているという情報を登録させるための情報登録部と、主として投資を目的とする利用者に、前記情報登録部に登録された情報を閲覧させるための情報閲覧部と、を備える。【選択図】図１
2019121202.tif 000002
【特許請求の範囲】
【請求項１】
主として消費を目的とする利用者に、或る地域に或る種別の店舗が不足しているという情報を登録させるための情報登録部と、
主として投資を目的とする利用者に、前記情報登録部に登録された情報を閲覧させるための情報閲覧部と、
を備えた、マッチングシステム。
【発明の詳細な説明】
【技術分野】
【０００１】
本発明は、消費者等に自宅の近辺等に欲しい店舗の種別などを登録させ、投資家等にそれを閲覧させるためのマッチングシステムに関する。
【背景技術】
【０００２】
従来、投資家等がコンビニ、スーパーマーケット、床屋、洋服屋、100円ショップ、自転車屋、金融機関、病院（総合病院、内科医院、外科医院、歯医者など）、保育園、靴屋、本屋、電気屋、金物屋、銭湯、飲食店（レストラン、喫茶店、居酒屋など）、化粧品店、ペットショップ、法律事務所、整骨院、文房具屋、学習塾、弁当屋、クリーニング屋、薬局、花屋等を作ろうと考えるとき、どこに出店するかは、勘や精度の低い自己調査などに頼っていた。
【０００３】
一方、特に地方では、コンビニ、スーパーマーケット、床屋、洋服屋、100円ショップ、自転車屋、金融機関、病院（総合病院、内科医院、外科医院、歯医者など）、保育園、靴屋、本屋、電気屋、金物屋、銭湯、飲食店（レストラン、喫茶店、居酒屋など）、化粧品店、ペットショップ、法律事務所、整骨院、文房具屋、学習塾、弁当屋、クリーニング屋、薬局、花屋等が足りず、不便な生活を強いられる地域が多かった。
【発明の概要】
【発明が解決しようとする課題】
【０００４】
このため、経営が上手くいかずに撤退や廃業となる店舗が多かった。
【０００５】
また、都市と地方の生活の便利さに大きな差があるため、都市へ人口が集中してしまっていた。
【０００６】
本発明の目的は、消費者等に自宅の近辺等に欲しい店舗の種別などを登録させ、投資家等にそれを閲覧させることにより、店舗の需要と供給とを結び付けることにある。
【課題を解決するための手段】
【０００７】
本発明の一態様は、上記目的を達成するため、主として消費を目的とする利用者に、或る地域に或る種別の店舗が不足しているという情報を登録させるための情報登録部と、主として投資を目的とする利用者に、前記情報登録部に登録された情報を閲覧させるための情報閲覧部と、を備えた、マッチングシステムを提供する。
【発明の効果】
【０００８】
本発明によれば、店舗の需要と供給とを結び付けることができる。
【図面の簡単な説明】
【０００９】
【図１】図１は、本発明の第１の実施の形態に係るマッチングシステムの概略の構成例を示す概念図である。
【発明を実施するための形態】
【００１０】
以下、本発明の実施の形態について図面を参照して説明する。なお、各図中、実質的に同一の機能を有する構成要素については、同一の符号を付してその重複した説明を省略したものもある。
【００１１】
［第１の実施の形態］
図１は、本発明の第１の実施の形態に係るマッチングシステムの概略の構成例を示す概念図である。マッチングシステム１０は、本発明のマッチングシステムの一例である。登録用ウェブページ表示部２０及び記録部４０は、本発明の情報登録部の一例である。閲覧用ウェブページ表示部３０及び記録部４０は、本発明の情報閲覧部の一例である。このマッチングシステム１０は、主として消費を目的とする利用者Ｃに、或る地域に或る種別の店舗が不足しているなどの情報Ｉを登録させるための登録用ウェブページＲＰを、インターネットブラウザなどを通じて提供するための登録用ウェブページ表示部２０と、主として投資を目的とする利用者Ｐに、登録された前記情報Ｉなどを閲覧させるための閲覧用ウェブページＳＰを、インターネットブラウザなどを通じて提供するための閲覧用ウェブページ表示部３０と、前記利用者Ｃが前記登録用ウェブページＲＰを利用して登録した前記情報Ｉを記録し、その前記情報Ｉを元に前記閲覧用ウェブページＳＰを生成する記録部４０とを備える。
【００１２】
（マッチングシステムの動作）
次に、マッチングシステム１０の動作例を説明する。
【００１３】
まず、登録用ウェブページ表示部２０は、登録用ウェブページＲＰを、インターネットブラウザなどを通じて、主として消費を目的とする利用者Ｃに提供する。
【００１４】
次に、利用者Ｃは、或る地域に或る種別の店舗が不足しているなどの情報Ｉを、登録用ウェブページＲＰを利用して登録する。
【００１５】
次に、記録部４０は、情報Ｉを記録し、その情報Ｉを元に閲覧用ウェブページＳＰを生成する。
【００１６】
次に、閲覧用ウェブページ表示部３０は、閲覧用ウェブページＳＰを、インターネットブラウザなどを通じて、主として投資を目的とする利用者Ｐに提供する。
【００１７】
情報Ｉが含む店舗の種別は、コンビニ、スーパーマーケット、床屋、洋服屋、100円ショップ、自転車屋、金融機関、病院（総合病院、内科医院、外科医院、歯医者など）、保育園、靴屋、本屋、電気屋、金物屋、銭湯、飲食店（レストラン、喫茶店、居酒屋など）、化粧品店、ペットショップ、法律事務所、整骨院、文房具屋、学習塾、弁当屋、クリーニング屋、薬局、花屋等でもよい。また、店舗は有人店舗でもよいし、無人店舗（ＡＴＭや自動販売機などの設備を含む）でもよい。情報Ｉの目的は、消費者等がどの地域にどの種別の店舗を欲しているかにある。
【００１８】
利用者Ｃとして、地方の消費者等を想定してもよいし、都市の消費者等を想定してもよい。利用者Ｃの目的は、情報Ｉを登録することにある。
【００１９】
利用者Ｐとして、投資家を想定してもよいし、経営者を想定してもよい。利用者Ｐの目的は、情報Ｉを閲覧することにある。
【００２０】
登録用ウェブページＲＰや閲覧用ウェブページＳＰは、ウェブページ以外の文書でもよいし、インターネットブラウザ以外のソフトウェアを利用して表示してもよいし、コンピューター以外を利用して表示してもよい。
【００２１】
記録部４０は適切なソフトウェアを稼働させるための汎用コンピューターでもよいし、専用電子回路を備えた専用ハードウェアでもよい。記録部４０の目的は、情報Ｉを記録し、その情報Ｉを元に閲覧用ウェブページＳＰを生成することにある。
【００２２】
（本実施の形態の効果）
本実施の形態によれば、以下の効果を奏する。
（ア）投資家等が、どの場所にコンビニ、スーパーマーケット、床屋、洋服屋、100円ショップ、自転車屋、金融機関、病院（総合病院、内科医院、外科医院、歯医者など）、保育園、靴屋、本屋、電気屋、金物屋、銭湯、飲食店（レストラン、喫茶店、居酒屋など）、化粧品店、ペットショップ、法律事務所、整骨院、文房具屋、学習塾、弁当屋、クリーニング屋、薬局、花屋等を作ると売上を伸ばしやすいかを知ることができる。これにより、投資家等は、効率的に利益を得られるようになる。
（イ）地方などの、コンビニ、スーパーマーケット、床屋、洋服屋、100円ショップ、自転車屋、金融機関、病院（総合病院、内科医院、外科医院、歯医者など）、保育園、靴屋、本屋、電気屋、金物屋、銭湯、飲食店（レストラン、喫茶店、居酒屋など）、化粧品店、ペットショップ、法律事務所、整骨院、文房具屋、学習塾、弁当屋、クリーニング屋、薬局、花屋等の店舗が不足している地域に住む消費者等の生活が便利になる。至る場所が便利になれば、都市への人口の集中も軽減できる。
【００２３】
なお、本発明の実施の形態は、上記実施の形態に限定されるものではなく、本発明の要旨を変更しない範囲内で種々に変形、実施が可能である。
【産業上の利用可能性】
【００２４】
本発明のマッチングシステムは、店舗の需要と供給とを結び付けることができるので、産業上有用である。
【符号の説明】
【００２５】
１０…マッチングシステム、２０…登録用ウェブページ表示部、３０…閲覧用ウェブページ表示部、４０…記録部、Ｃ…主として消費を目的とする利用者、Ｉ…或る地域に或る種別の店舗が不足しているなどの情報、Ｐ…主として投資を目的とする利用者、ＲＰ…登録用ウェブページ、ＳＰ…閲覧用ウェブページ
【図１】
2019121202.tif 000003